(57)【要約】【課題】ケース本体へのバッテリの着脱操作が容易で、バッテリの電気的、機械的な接続作業がし易い電気機器を提供することを目的とする。【解決手段】一側面が開口し、電気部品及び端子Ｃｎ1が配設されたケース本体４と、前記端子Ｃｎ1に機械的及び電気的に接続されるコネクタ８２と、ケース本体４の開口部４１側からの操作により前記端子Ｃｎ1と前記コネクタ８２との接続を解除する操作子８３ａとを上辺側に有する略四角形状のバッテリ８と、このバッテリ８の操作子８３ａ及び左右辺側の少なくとも１箇所に対応し、バッテリ８の側部に直接指が接触するように形成された指掛け用のスペースとＳ1、Ｓ2、Ｓ3とを備えた電気機器１である。【選択図】図１１
2010192188.tif 000002
【特許請求の範囲】
【請求項１】
一側面が開口し、電気部品及び端子が配設されたケース本体と；
前記端子に機械的及び電気的に接続されるコネクタと、ケース本体の開口部側からの操作により前記端子と前記コネクタとの接続を解除する操作子とを上辺側に有する略四角形状のバッテリと；
このバッテリの操作子及び左右辺側の少なくとも１箇所に対応し、バッテリの側部に直接指が接触するように形成された指掛け用のスペースと；
を具備することを特徴とする電気機器。
【請求項２】
前記バッテリの下辺側に対応して、ケース本体側には、バッテリの自重を支える弾性押上げ手段が設けられていることを特徴とする請求項１に記載の電気機器。
【発明の詳細な説明】
【技術分野】
【０００１】
本発明は、誘導灯や非常灯などに適用されるバッテリを有する電気機器に関する。
【背景技術】
【０００２】
従来、この種、電気機器として、例えば、誘導灯において、ケース本体の部品収納スペースに電子回路部品としての電子ブロックやバッテリを収納するに際し、機器をコンパクトに構成し、配線作業を容易にするため、バッテリのコネクタを電子ブロックの端子に直接接続し、配線レスとしたものが提案されている（特許文献１参照）。また、この特許文献１に示されたものは、コネクタと端子との接続方向をバッテリの収納方向とし、接続操作をし易くしたものである。
【先行技術文献】
【特許文献】
【０００３】
【特許文献１】２００７−１２２９４７号公報
【発明の概要】
【発明が解決しようとする課題】
【０００４】
しかしながら、上記のような従来の誘導灯では、例えば、バッテリを交換する場合、ケース本体へのバッテリの着脱にあたっては、作業者は、両手を使ってバッテリを支えながら作業を行なわなければならない。特に、バッテリを取外すときには、着脱レバーの係止を解除するため、片方の手でつまみ部と指掛け部を操作し、もう一方の手でバッテリを支えながら取外し作業を行なう必要がある。したがって、バッテリの着脱操作性に劣り、着脱操作性の向上が望まれていた。
【０００５】
本発明は、上記要望を満たそうとするもので、ケース本体へのバッテリの着脱操作が容易で、バッテリの電気的、機械的な接続作業がし易い電気機器を提供することを目的とする。
【課題を解決するための手段】
【０００６】
請求項１に記載の電気機器は、一側面が開口し、電気部品及び端子が配設されたケース本体と；前記端子に機械的及び電気的に接続されるコネクタと、ケース本体の開口部側からの操作により前記端子と前記コネクタとの接続を解除する操作子とを上辺側に有する略四角形状のバッテリと；このバッテリの操作子及び左右辺側の少なくとも１箇所に対応し、バッテリの側部に直接指が接触するように形成された指掛け用のスペースと；を具備することを特徴とする。
【０００７】
本発明及び以下の発明において、特に指定しない限り用語の定義及び技術的意味は次による。電気機器としては、誘導灯や非常灯に限らず、バッテリを搭載する機器であれば適用可能である。端子は、例えば、コネクタ形式のものであっても、基板から直接的に端子ピンが立設さるような形式のものであってもよく、格別その形式に限定されるものではない。要は、バッテリのコネクタと機械的、電気的に接続されるようになっていればよい。また、電気部品及び端子は、ケース本体に直接的に配設されていてもよいし、間接的に、例えば、基板を介して配設されるようになっていてもよい。さらに、バッテリの側部とは、バッテリの上辺側に設けられた操作子及び左右辺側の部分を含む主旨である。指掛け用のスペースは、バッテリの周囲が例えば、他の部材等によって囲まれている中で、バッテリの側部に直接指が接触するように形成されたスペースを意味するが、バッテリの全周囲が他の部材等によって囲まれていなくてもよい。
【０００８】
請求項２に記載の電気機器は、請求項１に記載の電気機器において、前記バッテリの下辺側に対応して、ケース本体側には、バッテリの自重を支える弾性押上げ手段が設けられていることを特徴とする。
【発明の効果】
【０００９】
請求項１に記載の発明によれば、バッテリの着脱操作が容易で、バッテリの電気的、機械的な接続作業がし易く、バッテリを取外す場合には、片手でバッテリを保持しつつ取外す操作が容易となる。
【００１０】
請求項２に記載の発明によれば、請求項１に記載の発明の効果に加え、バッテリの自重によるコネクタへの負荷が軽減でき、接続状態の安定性を確保できる。
【図面の簡単な説明】
【００１１】
【図１】本発明の実施形態に係る誘導灯を示す斜視図である。
【図２】同本体ユニットと表示ユニットとを分解して示す斜視図である。
【図３】同本体ユニットを示す正面図である。
【図４】同じく本体ユニットを示す斜視図である。
【図５】同じく本体ユニットを分解して示す斜視図である。
【図６】同点灯装置ケースを示す斜視図である。
【図７】同じく点灯装置ケースを示す斜視図である。
【図８】同バッテリを示す斜視図である。
【図９】同じくバッテリを示す側面図及び正面図である。
【図１０】同バッテリの装着状態を示す模式的側面図である。
【図１１】同じくバッテリの取外し状態を示す模式的側面図である。
【発明を実施するための形態】
【００１２】
以下、本発明の実施形態に係る電気機器としての誘導灯について図１乃至図９を参照して説明する。各図において、同一又は相当部分には同一符号を付し、重複した説明は省略する。
【００１３】
図１及び図２において、誘導灯１は、天井面や垂直な壁面等の設置面に設置されて使用可能なように構成されている。そして、誘導灯１は、本体ユニット２と、この本体ユニット２に装着される表示ユニット３とから構成されている。また、本体ユニット２は、ケース本体４、光源ユニット５、端子台６、点灯装置７及び点灯装置ケース７３並びにバッテリ８を備えている。
【００１４】
まず、表示ユニット３は、略矩形枠状のユニットケース３１の内側に板状のアクリル樹脂製の導光板３２が配設されて構成されている。この導光板３２の表面側には、誘導表示として人が避難している状態を示すピクトグラムが表示された表示パネル３３が設けられており、ユニットケース３１は、本体ユニット２に対し、係脱手段３４によって着脱可能となっている。
【００１５】
図２乃至図５に示すように、本体ユニット２は、正面背面方向の寸法、つまり、厚さ寸法が小さく、一側面を開口し、すなわち、正面側を開口部４１とした扁平な箱状のケース本体４を備え、このケース本体４の内側に光源ユニット５、端子台６、点灯装置７等の電気部品が配設されている。図５に代表して示すように、ケース本体４は絶縁性を有する白色の合成樹脂にて一体に形成され、四角形板状の背面部４２、上面部４３、下面部４４及び両側の側面部４５を有し、上面部４３、下面部４４及び両側の側面部４５とで四角形枠状に形成されている。
【００１６】
上面部４３には、円孔状の電源線導入口４６が略中央部に位置して形成されているとともに、この電源線導入口４６の両側に位置して、ケース本体４を支持し設置面部に取付けるボルト等の取付具が挿通する取付孔４７が形成されている。同様に、背面部４２の略中央部上側にも円孔状の電源線導入口４６が形成されているとともに、この電源線導入口４６の両側に位置して、取付孔４７が形成されている。これら上面部４３及び背面部４２に形成した電源線導入口４６、取付孔４７は、誘導灯１を天井面や壁面等の設置面に選択的に設置するために用いられるものであり、容易に開口可能なノックアウト構造となっている。さらに、背面部４２の略中央部には、両側方向に延出する突起状の庇部４８が形成されている。また、ケース本体４の内側には、ケース本体４の内側形状に沿い、前記上面部４３及び背面部４２に形成された電源線導入口４６、取付孔４７並びに背面部４２に形成された庇部４８に対応した貫通孔４６ａ、４７ａ、４８ａが形成された金属板製の補強体４９が係合手段によって取付けられている。
【００１７】
光源ユニット５は、光源としてＬＥＤチップが用いられ、複数のＬＥＤチップが表面実装された基板と、この基板を保持する基板取付ホルダとを備えている。基板は、細長状に形成されており、ＬＥＤチップが実装された面を下方に向けた状態でケース本体４の上部に取付けられている。したがって、ＬＥＤチップから出射された光は、導光板３２の上端面、すなわち、入射面に入射するようになっている。
【００１８】
端子台６は、略四角形の箱状に形成されて背面部４２の取付孔４７の下側に位置して補強体４９に取付けられており、電源線導入口４６から導入される外部の電源線や内部の配線コード等の芯線が挿入されて電気的に接続される複数の自己鎖錠形の端子を有している。
【００１９】
点灯装置７は、点灯装置ケース７３に収納され、基板７１にトランスＴｒ、ＩＣ、スイッチング素子としてトランジスタＱ、電解コンデンサＣ、基板用端子台Ｔ、端子が設けられているコネクタＣｎ1、Ｃｎ2等の点灯回路部品７２が銅箔等で形成された回路パターンによって接続されて構成されている。この基板７１には、その両面に回路部品７２が実装されており、表面側には、トランス等の背の高い部品が図示上左側の領域に集約されて配置されている。一方、裏面側には背の低い半導体素子や抵抗素子等Ｅが表面実装方式により実装されており、したがって、表面側の図示上右側の領域には、実質的に回路部品は実装されておらず、回路パターンのみが配線されて構成されている。また、点灯装置７は、端子台６を介して電源線に接続され、その出力を光源ユニット５のＬＥＤチップに供給し、常用点灯としてＬＥＤチップを点灯制御するとともにバッテリ８を充電し、電源からの電力が遮断された場合には、バッテリ８の電力に切替えて非常点灯としてＬＥＤチップを点灯するようになっている。
【００２０】
なお、以上の点灯装置７の構成においては、基板７１の表面側の図示上右側の領域には、回路パターンのみが配線されている場合について説明したが、この領域には、背の低い部品を実装するようにしてもよい。要は、背の高い部品を所定の領域に主として配置するように構成すればよい。さらに、基板７１の両面に部品を実装する形式のみならず、片面に部品を実装する形式のものに適用してもよい。
【００２１】
点灯装置７を収納する合成樹脂製の点灯装置ケース７３は、図５乃至図７に示すように、全体形状が略直方体状に形成され、基板７１の背の高い部品が実装された領域をカバーする第１のカバー部７３ａと、回路パターンのみが配線された領域をカバーする第２のカバー部７３ｂとを備えている。したがって、第１のカバー部７３ａは、背の高い部品をカバーするため奥行き寸法が深い箱状をなし、第２のカバー部７３ｂは、奥行き寸法が浅く形成されて、双方のカバー部７３ａ、７３ｂの背面側が開口しており、この開口から基板７１が取付けられるようになっている。そして、正面視、点灯装置ケース７３は、第１のカバー部７３ａと第２のカバー部７３ｂとで段状をなし段差を形成している。なお、基板７１に配設された基板用端子台ＴやコネクタＣｎ1、Ｃｎ2は、配線のため、それぞれケース７３に形成された開口Ｗから表出するようになっている。
【００２２】
一方、第２のカバー部７３ｂの前面側には、前記段差が形成されるに伴い収納凹部７３ｃが形成されている。そして、この収納凹部７３ｃの周囲には、上面壁７３ｄ、左側面壁７３ｅ、右側面壁７３ｆ、下面壁７３ｇが包囲するように延出しており、当該収納凹部７３ｃにバッテリ８が配設されるようになっている。さらに、上面壁７３ｄの一端側には、方形状の切欠き７３ｈが形成されており、左側面壁７３ｅの下方側には、直方体形状の窪み７３ｉ、右側面壁７３ｆの下方側には、窪み７３ｉと対向するように切欠き７３ｊが形成されている。これら、切欠き７３ｈ、窪み７３ｉ及び切欠き７３ｊは、詳細を後述する指掛け用のスペースを形成するものである。加えて、下面壁７３ｇには、バッテリ８の自重を支える弾性押上げ手段として、両側にスリット状の切込みが形成され、先端側に突起が設けられた弾性舌片７３ｋが形成されている。
【００２３】
なお、金属板製の補強体４９と点灯装置７との間には絶縁シート７４が介在されており、点灯装置ケース７３の第１のカバー部７３ａの外面には金属板製の補強板７５が取付けられている（図５参照)。
【００２４】
図８及び図９に示すように、バッテリ８には、充電可能な二次電池を構成する３個の素電池が用いられており、この素電池がバッテリケース８１に収納されている。バッテリ８は、正面視、略四角形状の直方体形状をなしており、上辺部には、上辺から突出するようにコネクタ８２が設けられている。このコネクタ８２は、背面側を接続部とし、上述の基板７１に設けられたコネクタＣｎ1（図５参照）の端子ピンが挿入されて接続されるソケット端子８２ａを有している。また、コネクタ８２の上面には、背面側を支点として上方に弾性付勢された係止手段８３が設けられている。さらに、係止手段８３の先端側には、この係止手段の係止を解除するために操作される操作子８３ａが突設されている。
【００２５】
以上のように構成された誘導灯１において、バッテリ8のコネクタ８２は、ケース本体４側に配設されたコネクタＣｎ1に電気的、機械的に接続されて、収納凹部７３ｃに収納され保持される。この状態では、図３及び図４に代表して示すように、バッテリ８の上辺に設けられたコネクタ８２と対応する切欠き７３ｈによって指掛け用のスペースＳ1、バッテリ８の左辺と対応する窪み７３ｉによって指掛け用のスペースＳ2、バッテリ８の右辺と対応する切欠き７３ｊによって指掛け用のスペースＳ3が形成されている。つまり、指掛け用のスペースＳ1を頂点として三角形状の角部に３つの指掛け用のスペースＳ1、Ｓ2、Ｓ3が形成されるようになっている。
【００２６】
具体的には、指掛け用のスペースＳ1は、バッテリ８のコネクタ８２のコネクタＣｎ1への接続方向と平行する方向である部位において、その一部に少なくとも指が接触できる程度の形態で形成されており、指掛け用のスペースＳ2、Ｓ3は、バッテリ８の高さ寸法の半分より下側であって、かつバッテリ８の左右側面の幅寸法の半分以上が露出するような形態で形成されている。
【００２７】
また、バッテリ８は、コネクタ８２の機械的な接続によってその自重が支えられることになるが、バッテリ８の下辺側には、弾性舌片７３ｋの突起が当接されるようになっているので、これによっても、バッテリ８の自重が支えられ、コネクタ８２へかかる負荷が軽減されるようになっている。
【００２８】
次に、誘導灯１の使用に際しては、天井面や壁面等の設置面に設置される。そして、電源を投入すると、ＬＥＤチップが点灯し、その光が導光板３２の入射面に入射し、入射した光が表示パネル３３を発光させ、誘導表示のピクトグラムが明示されるようになる。また、バッテリ８の交換等のメンテナンスにあたっては、図２に示すように、光源ユニット５等を取外すことなく、本体ユニット２から表示ユニット３を取外すことにより行うことができ、メンテナンスがし易い構成となっている。さらにまた、点灯装置ケース７３の段差によって形成された収納凹部７３ｃにバッテリ８を配設したので、本体ユニット２を薄型化でき、コンパクトに構成できるとともに、バッテリ８が発熱部品から熱を受けることを抑制でき、バッテリ８の長寿命化に資することができる。
【００２９】
次に、バッテリ８の着脱操作について、図１０及び図１１を参照して説明する。まず、バッテリ８の取付けにあたっては、図１０に示すように、バッテリ８をケース本体４の開口部４１側から図示矢印の方向に、コネクタ８２がコネクタＣｎ1に挿入し嵌合して、コネクタ８２のソケット端子８２ａとコネクタＣｎ1の端子である端子ピンＣｎｐとが接続されるように配設する。この場合、コネクタ８２の上面には、弾性付勢された係止手段８３が設けられているので、係止手段８３が弾性変形し、コネクタＣｎ1に楔作用を伴って圧入して係止される。したがって、接続が強化され、バッテリ８の電気的、機械的な接続を確実なものとすることができる。さらに、バッテリ８の下辺側は、弾性舌片７３ｋによってその自重が支えられるようになっているので、コネクタ８２への負荷が軽減でき、接続状態の安定性を確保でき、安全性を向上することができる。
【００３０】
続いて、バッテリ８の取外しにあたっては、図１１（ａ）に示すように、まず、片方の手で、バッテリ８の側部を掴む。具体的には、人差し指で係止手段８３の操作子８３ａを押圧するようにして、その係止を解除し、親指と薬指又は中指でバッテリ８の左右辺側を掴む。次いで、図１１（ｂ）に示すように、バッテリ８の下辺側を支点としてケース本体４の開口部４１側へ回動操作して取外す。
【００３１】
この場合、指掛け用のスペースＳ1、Ｓ2、Ｓ3が形成されているため、指を直接バッテリの側部に接触させることが可能で、指が掛け易く、また、３箇所に指を掛けることができるので掴み易く、とりわけ、三角形の角部を形成する位置に指掛け用のスペースＳ1、Ｓ2、Ｓ3が形成されているので、片手でバッテリ８を保持しつつ取外す操作が容易となる。また、コネクタ８２は、バッテリ８の上辺側、すなわち、係止手段８３の操作子８３ａは、上辺側に配置されているので、人差し指で解除操作を行うことができ、操作がし易いという効果が期待できる。
【００３２】
さらに、バッテリ８の上辺側の指掛け用のスペースＳ1は、少なくともコネクタ８２の接続方向と平行する方向である部位の一部に指が接触できる程度に形成されており、バッテリ８の左右辺側の指掛け用のスペースＳ2、Ｓ3は、バッテリ８の半分より下側であって、かつバッテリ８の左右側面が半分以上露出するように形成されている。
【００３３】
したがって、バッテリ８の係止手段８３における操作子８３ａの操作、すなわち、解除操作とともに、バッテリ８の下辺側を支点としてケース本体４の開口部４１側へ回動操作して取外すことができ、解除操作と回動操作を連動して行うことができ、取外し操作が容易となる。特に、機器の下側から手を伸ばして取外し操作を行なう場合には効果的である。
【００３４】
以上のように本実施形態によれば、ケース本体４へのバッテリ８の着脱操作が容易で、バッテリ８の電気的、機械的な接続作業がし易く、特に、バッテリ８を取外す場合には、３箇所に指を掛けることができ、片手でバッテリ８を保持しつつ取外す操作が容易となる。また、コネクタ８２には、係止手段８３が設けられているので、バッテリ８の電気的、機械的な接続を確実なものとすることができる。さらに、バッテリ８の下辺側は、弾性舌片７３ｋによってその自重が支えられるようになっているので、コネクタ８２への負荷が軽減でき、接続状態の安定性を確保できる。
【００３５】
なお、本発明は、上記実施形態の構成に限定されることなく、発明の要旨を逸脱しない範囲で種々の変形が可能である。例えば、電気機器としては、誘導灯や非常灯に限らず、バッテリを搭載する機器であれば適用可能である。
【符号の説明】
【００３６】
１・・・電気機器（誘導灯）、４・・・ケース本体、８・・・バッテリ、
４１・・・開口部、７３ｋ・・・弾性押上げ（弾性舌片）、８２・・・コネクタ、
８３・・・係止手段、８３ａ・・・操作子、Ｃｎ1・・・コネクタ、
Ｃｎｐ・・・端子ピン（端子）、Ｓ1、Ｓ2、Ｓ3・・・指掛け用のスペース
【図１】
2010192188.tif 000003
【図２】
2010192188.tif 000004
【図３】
2010192188.tif 000005
【図４】
2010192188.tif 000006
【図５】
2010192188.tif 000007
【図６】
2010192188.tif 000008
【図７】
2010192188.tif 000009
【図８】
2010192188.tif 000010
【図９】
2010192188.tif 000011
【図１０】
2010192188.tif 000012
【図１１】
2010192188.tif 000013